【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
ポストテンショニング補強を有する高強度組積構造のためのシステムであって、
前記システムは、
第１の組積ユニットであって、前記第１の組積ユニットは、コンクリートから製造され、
前記第１の組積ユニットは、
第１の組積長手長さと、
前記第１の組積長手長さに垂直に測定された第１の組積幅であって、前記第１の組積幅は、前記第１の組積長手長さに沿って実質的に均一である、第１の組積幅と、
第１の上表面であって、前記第１の上表面は実質的に平らである、第１の上表面と、
第１の底表面であって、前記第１の底表面は実質的に平らである、第１の底表面と、
前記第１の上表面と前記第１の底表面との間で測定された第１の組積高さであって、前記第１の組積高さは、前記第１の組積長手長さに沿って実質的に均一である、第１の組積高さと、
前記第１の上表面から前記第１の底表面まで前記第１の組積ユニットを介して形成された第１の貫通キャビティおよび第２の貫通キャビティと
を備える、第１の組積ユニットと、
前記第１の組積ユニットと実質的に同一の第２の組積ユニットであって、
前記第２の組積ユニットは、
前記第１の組積長手長さと実質的に同一の第２の組積長手長さと、
前記第１の組積幅と実質的に同一の第２の組積幅と、
実質的に平らな第２の上表面と、
実質的に平らな第２の底表面と、
前記第１の組積高さと実質的に同一の第２の組積高さと、
前記第２の上表面から前記第２の底表面まで前記第２の組積ユニットを介して形成された第３の貫通キャビティおよび第４の貫通キャビティと
を備える、第２の組積ユニットと、
アンカー板であって、
前記アンカー板は、
前記第１の組積長手長さと実質的に同一のアンカー板長さと、
前記第１の組積長手長さと実質的に同一のアンカー板幅と、
第１のセットの開口部であって、前記第１のセットの開口部は、第１のネジ無し開口部と第１のネジ付き開口部とを含む、第１のセットの開口部と、
第２のセットの開口部であって、前記第２のセットの開口部は、前記第１のネジ無し開口部と実質的に同一の第２のネジ無し開口部と、前記第１のネジ付き開口部と実質的に同一の第２のネジ付き開口部とを含む、第２のセットの開口部と、
を備え、前記アンカー板が前記第１の上表面の上に設置されたときには、前記第１のセットの開口部は、前記第１の貫通キャビティと整列し、前記第２のセットの開口部は、前記第２の貫通キャビティと整列し、前記第１の組積ユニットおよび前記第２の組積ユニットが互いに接触するように配置され、それぞれの長手長さに沿って整列し、前記アンカー板が前記第１の上表面および前記第２の上表面の上に設置されたときには、前記第１のセットの開口部は、前記第２の貫通キャビティと整列し、前記第２のセットの開口部は、前記第３の貫通キャビティと整列する、アンカー板と、
ファスナであって、
前記ファスナは、
第１のファスナ端部および第２のファスナ端部と、
前記第１のファスナ端部におけるヘッド部と、
前記ヘッド部に堅く取り付けられたステム部であって、前記ステム部は、前記第２のファスナ端部におけるネジ付き部を備え、前記ステム部の全長は前記第１の組積高さより大きい、ステム部と、
を備え、前記ヘッド部は、前記第１のネジ無し開口部を介してフィットせず、前記ステム部は、前記第１のネジ無し開口部を介して自由にスライドし、前記ネジ付き部は、前記第１のネジ付き開口部とネジにより係合するように構成される、ファスナと
を備える、システム。
【請求項２】
前記アンカー板は、第１のアンカー板であり、
前記システムは、前記第１のアンカー板と実質的に同一の第２のアンカー板をさらに備え、
前記第１の組積ユニットは、前記第１の底表面が前記第２のアンカー板に接触するように前記第２のアンカー板の上に積層され、前記第１のアンカー板は、前記第１の上表面の上に積層され、前記ステム部は、前記第１のアンカー板の前記第２のネジ無し開口部を介して延び、前記第２の貫通キャビティを介して、前記第２のアンカー板の前記第１のネジ無し開口部とネジにより係合し、それにより、前記ファスナを締めることが前記第１のアンカー板と前記第２のアンカー板との間で前記第１の組積ユニットを押し付ける、請求項１に記載のシステム。
【請求項３】
前記第２のアンカー板は、前記第１の組積長手長さの実質的に半分の距離だけ前記第１のアンカー板から前記第１の組積長手長さに沿ってオフセットされている、請求項２に記載のシステム。
【請求項４】
前記アンカー板は、上板表面と底板表面とを含み、前記上板表面は、前記底板表面と前記上板表面とを視覚的に区別するためのマーキングを備える、請求項１に記載のシステム。
【請求項５】
前記アンカー板は、上板表面と底板表面とを含み、前記底板表面は、前記底板表面と前記上板表面とを視覚的に区別するためのマーキングを備える、請求項１に記載のシステム。
【請求項６】
前記アンカー板は、矩形であり、前記第１の組積長手長さは、前記第１の組積幅の２倍である、請求項４に記載のシステム。
【請求項７】
ａ）４５度の角度における前記上板表面の最長エッジおよびｂ）前記上板表面の角を交差するラインは、前記第１のネジ付き開口部および前記第１のネジ無し開口部も交差する、請求項６に記載のシステム。
【請求項８】
前記最長エッジは、第１のエッジであり、前記第１のネジ付き開口部および前記第１のネジ無し開口部のうちの１つは、前記第１のエッジの近くに位置し、前記上板表面は、前記第１のエッジの反対側の第２のエッジと前記第１のエッジとを視覚的に区別するためのさらなるマーキングを含む、請求項７に記載のシステム。
【請求項９】
前記底板表面は、前記第２のエッジと前記第１のエッジとを視覚的に区別するための前記さらなるマーキングを含む、請求項８に記載のシステム。
【請求項１０】
前記アンカー板は、上板表面と、底板表面と、第１のエッジと、前記第１のエッジの反対側の第２のエッジとを含み、前記アンカー板は、前記アンカー板の適切な配置を容易にするために、前記底板表面と前記上板表面とを視覚的に区別し、前記第２のエッジと前記第１のエッジとを視覚的に区別するためのマーキングを含む、請求項１に記載のシステム。
【請求項１１】
前記アンカー板は、複数の板のうちの１つであり、前記複数の板の各々は、前記アンカー板と実質的に同一であり、前記複数の板の各々は、前記マーキングを含み、前記マーキングは、前記複数の板の各々が取り付けのために適切に方向付けおよび位置付けされたときに、前記複数の板の間でパターンを形成する、請求項１０に記載のシステム。
【請求項１２】
前記ファスナは、金属合金、鋼、ステンレス鋼および複合材料からなる群より選択される材料から構成される、請求項１に記載のシステム。
【請求項１３】
前記アンカー板は、金属合金、鋼、ステンレス鋼および複合材料からなる群より選択される材料から構成される、請求項１に記載のシステム。
【請求項１４】
前記ファスナは被覆されている、請求項１に記載のシステム。
【請求項１５】
前記アンカー板は被覆されている、請求項１に記載のシステム。
【請求項１６】
前記アンカー板は、第１のアンカー板であり、前記システムは、第２のアンカー板をさらに備え、前記第２のアンカー板は、前記第１のアンカー板と実質的に同一の２つのアンカー板であって、実質的に９０度の角度で長エッジに沿って連結されている２つのアンカー板を含む、請求項１に記載のシステム。
【請求項１７】
前記アンカー板は、第１のアンカー板であり、前記システムは、第２のアンカー板をさらに備え、前記第２のアンカー板は、前記第１のアンカー板と実質的に同一の３つのアンカー板であって、実質的に９０度の角度で長エッジに沿って連結されている３つのアンカー板を含み、前記第２のアンカー板は、Ｔ字形断面を有する、請求項１に記載のシステム。
【請求項１８】
組積構造を構築するシステムであって、
前記システムは、
上表面と、底表面と、前記上表面と前記底表面との間に形成された第１のキャビティと、前記上表面と前記底表面との間に形成された第２のキャビティとを有する組積ユニットであって、前記上表面は表面幅および表面長さを有する、組積ユニットと、
第１のネジ付き開口部と、第１の他の開口部と、第２のネジ付き開口部と、第２の他の開口部とを有する第１の板であって、前記第１の板は、前記上表面に対する配置のために構成され、前記第１の板は、前記表面幅と実質的に同一の第１の板幅と、前記表面長さと実質的に同一の第１の板長さとを有し、前記第１の板の外周が前記上表面の外周と整列し、前記第１の板が前記上表面に対して配置されるときに、前記第１のネジ付き開口部および前記第１の他の開口部は、前記第１のキャビティと整列し、前記第２のネジ付き開口部および前記第２の他の開口部は、前記第２のキャビティと整列する、第１の板と、
第３のネジ付き開口部と、第３の他の開口部と、第４のネジ付き開口部と、第４の他の開口部とを有する第２の板であって、前記第２の板は、前記底表面に対する配置のために構成され、前記第２の板は、前記第１の板と実質的に同一の寸法、形状および開口部の位置を有する、第２の板と、
ヘッド部およびステム部から構成される第１のファスナボルトであって、前記ヘッド部は、前記ステム部と堅くかつ一体に取り付けられ、前記ステム部は、ネジ付き端部を備え、前記第１のファスナボルトは、前記第１の他の開口部を介して前記ネジ付き端部により挿入され、前記第１のキャビティを介して、前記第３のネジ付き開口部とネジ付け可能に係合するために構成されている、第１のファスナボルトと、
ヘッド部およびステム部から構成される第２のファスナボルトであって、前記ヘッド部は、前記ステム部と堅くかつ一体に取り付けられ、前記ステム部は、ネジ付き端部を備え、前記第２のファスナボルトは、前記第２の他の開口部を介して前記ネジ付き端部により挿入され、前記第２のキャビティを介して、前記第４のネジ付き開口部とネジ付け可能に係合するために構成されている、第２のファスナボルトと
を備え、
前記第１のファスナボルトの前記ステム部は、前記第１のファスナボルトが、前記第１の他の開口部を介して挿入され、前記第１のキャビティを介して、前記第３のネジ付き開口部とネジ付け可能に係合するときに、前記第１のキャビティの全高さに及び、
前記第２のファスナボルトの前記ステム部は、前記第２のファスナボルトが、前記第２の他の開口部を介して挿入され、前記第２のキャビティを介して、前記第４のネジ付き開口部とネジ付け可能に係合するときに、前記第２のキャビティの全高さに及ぶ、システム。
【請求項１９】
前記第１のファスナボルトが、前記第１の他の開口部を介して挿入され、前記第１のキャビティを介して、前記第３のネジ付き開口部とネジ付け可能に係合するときに、前記第１のファスナボルトを前記第３のネジ付き開口部に締めることは、前記第１の板と前記第２の板との間で前記組積ユニットに押し付け力を加える、請求項１８に記載のシステム。
【請求項２０】
前記第１のファスナボルトおよび前記第２のファスナボルトは、金属合金、鋼、ステンレス鋼および複合材料からなる群より選択される材料から構成される、請求項１８に記載のシステム。
【請求項２１】
前記第１の板および前記第２の板は、金属合金、鋼、ステンレス鋼および複合材料からなる群より選択される材料から構成される、請求項１８に記載のシステム。
【請求項２２】
前記第１のファスナボルトおよび前記第２のファスナボルトは被覆されている、請求項１８に記載のシステム。
【請求項２３】
前記第１の板および前記第２の板は被覆されている、請求項１８に記載のシステム。
【請求項２４】
前記第１の板は、上板表面と底板表面とを含み、前記上板表面は、前記底板表面と前記上板表面とを視覚的に区別するためのマーキングを備える、請求項１８に記載のシステム。
【請求項２５】
前記第１の板は、矩形であり、前記第１の板長さは、前記第１の板幅の２倍である、請求項２４に記載のシステム。
【請求項２６】
ａ）４５度の角度における前記上板表面の最長エッジおよびｂ）前記上板表面の角を交差するラインは、前記第１のネジ付き開口部および前記第１の他の開口部も交差する、請求項２５に記載のシステム。
【請求項２７】
前記最長エッジは、第１のエッジであり、前記第１のネジ付き開口部および前記第１の他の開口部のうちの１つは、前記第１のエッジの近くに位置し、前記上板表面は、前記第１のエッジの反対側の第２のエッジと前記第１のエッジとを視覚的に区別するためのさらなるマーキングを含む、請求項２６に記載のシステム。
【請求項２８】
第３の底表面は、前記第２のエッジと前記第１のエッジとを視覚的に区別するための前記さらなるマーキングを含む、請求項２７に記載のシステム。
【請求項２９】
前記第１の板は、上板表面と、底板表面と、第１のエッジと、前記第１のエッジの反対側の第２のエッジとを含み、前記第１の板は、前記第１の板の適切な配置を容易にするために、前記底板表面と前記上板表面とを視覚的に区別し、前記第２のエッジと前記第１のエッジとを視覚的に区別するためのマーキングを含む、請求項１８に記載のシステム。
【請求項３０】
前記第１の板および前記第２の板は、複数の板のうちの２つであり、前記複数の板の各々は、前記マーキングを含み、前記マーキングは、前記複数の板の各々が取り付けのために適切に方向付けおよび位置付けされたときに、前記複数の板の間でパターンを形成する、請求項２９に記載のシステム。
【手続補正２】
【補正対象書類名】明細書
【補正対象項目名】００２１
【補正方法】変更
【補正の内容】
【００２１】
本明細書に組み込まれ、その一部を成す添付の図面は、高強度組積構造のためのスーパーユニット化ポストテンションブロックシステム（スーパーＵＰＴブロックシステム）の好適な実施形態を例証する。上記の発明の開示および下記の発明を実施するための形態と併せて、図面は、スーパーＵＰＴブロックシステムの原理を説明することに役立つ。しかしながら、スーパーＵＰＴブロックシステムは、図示した正確な配列および手段のみに限定されるものではないことを理解されたい。
（項目１）
ユニット化ポストテンショニング補強を有する高強度組積構造のための建設システムであって、該システムは、
ａ）耐久性およびアンカーバー設置のための特別な特徴を有する複数のコンクリート組積ユニットであって、各ユニットは、少なくとも１つの小さいキャビティを有し、かつ、該中空キャビティを中に有する最上の平面と最下の平面とを有し、各ユニットの該平面は、本質的に互いに平行である、複数のコンクリート組積ユニットと、
ｂ）特徴を有する一連のアンカー板であって、各アンカー板は、複数のネジ付き開口部と複数の比較的大きいネジ無し開口部とを有し、第１の板は、該組積ユニットの該中空キャビティを有する該第１の平面に近接して設置され、第２の板は、該組積ユニットの該中空キャビティを有する該最上の上面に近接して設置され、該第１の板および該第２の板は、該整列した開口部によって互いに本質的に平行に設置されることにより、該最上の板の該ネジ無し開口部が、該最下の板の該ネジ付き開口部と整列する、一連のアンカー板と、
ｃ）緊張材の役割を果たす特徴を有する複数のファスナであって、該特徴は、該アンカー板のそれぞれを、最初に、上方に整列した該板に一体的かつ着脱可能に接続し、もしあれば、次に、該接続された板の間に挿入される該耐久性組積ユニットを有する下側の該板に一体的かつ着脱可能に接続する、手段を有する、複数のファスナと、
ｄ）該板への該ファスナの該接続手段を容易にする簡便なツールと、
ｅ）モルタル構造を有する標準的な組積と比較して、同等およびより優れた機能を有する該耐久性組積構造を完成させる一組の種々の付属物であって、それによって、該システムおよび構成部品の組み合わせは、別のユニットに近接して設置された横列および縦列等の種々の構造構成で設置された一連の該コンクリート組積ユニットの、容易に建設される高強度の構造を提供し、該構造は、モルタルおよび組積ユニット構造よりも比較的優れた構造強度を提供するユニット化ポストテンショニング（Ｕｎｉｔｉｚｅｄ  Ｐｏｓｔ  Ｔｅｎｓｉｏｎｉｎｇ）補強方法を特徴としており、そして、該補強方法は、一般的に設計された入手可能な材料で作られ、該板と組積ユニットとの間に間隙がなく、非熟練工による簡便なツールによって、その構成部品の再利用のために組み立てられ、解体され得る構造を提供する、付属物と
を備える、システム。
（項目２）
前記構造は、梁であり、それによって、該梁は、鉄筋コンクリートシステムによる組み立てが従来制限されている、建物、橋および他の大型構造物を建設するために使用され得る、項目１に記載の高強度組積構造。
（項目３）
前記構造は、柱であり、それによって、該柱は、鉄筋コンクリートシステムによる組み立てが従来制限されている、建物、橋および他の大型構造物を建設するために使用され得る、項目１に記載の高強度組積構造。
（項目４）
前記構造は、凹んだポケットを有する基盤であり、それによって、該基盤は、鉄筋コンクリートシステムでの組み立てが従来制限されている、標識基礎および他の大型構造物を建設するために使用されてもよい、項目１に記載の高強度組積構造。
（項目５）
前記構造は、互いに近接して設置される１つ以上の壁である、項目１に記載の高強度組積構造。
（項目６）
前記構造は、平行に設置され、前記壁の隣接する面の間に非充填空間を有する、一連の２つ以上の壁である、項目１に記載の高強度組積構造。
（項目７）
前記壁の前記隣接する面の間の前記空間は、種々の材料で充填されることが可能である、項目６に記載の高強度組積構造。
（項目８）
前記導管は、最小の横断面である、項目１に記載の高強度組積ユニット。
（項目９）
前記ファスナは、一方の端にネジが切られ、反対の端に特別な構成を有し、それによって、該特別な構成は、前記ツールによって該ファスナを回転させ、該ネジが切られた端を前記板に固定するために使用され得る、項目１に記載の高強度組積ユニットシステム。
（項目１０）
前記ファスナは、金属合金である、項目１に記載の高強度組積ユニットシステム。
（項目１１）
前記金属合金は、合金鋼である、項目１０に記載の装置。
（項目１２）
前記合金鋼は、ステンレス鋼である、項目１１に記載の装置。
（項目１３）
前記合金鋼は、Ｃｏｒ−Ｔｅｎ（登録商標）鋼の同等物である、項目１１に記載の装置。
（項目１４）
前記ファスナは、複合材料で作られている、項目１に記載の高強度組積ユニットシステム。
（項目１５）
前記ファスナは、被覆される、項目１に記載の高強度組積ユニットシステム。
（項目１６）
前記板は、複合材料で作られている、項目１に記載の高強度組積ユニットシステム。
（項目１７）
前記板は、金属合金で作られている、項目１に記載の高強度組積ユニットシステム。
（項目１８）
前記金属合金は、合金鋼である、項目１７に記載の装置。
（項目１９）
前記合金鋼は、ステンレス鋼である、項目１８に記載の装置。
（項目２０）
前記合金鋼は、Ｃｏｒ−Ｔｅｎ（登録商標）鋼の同等物である、項目１８に記載の装置。
（項目２１）
前記板は、被覆される、項目１に記載の高強度組積ユニットシステム。
（項目２２）
前記板は、伸展され、Ｌ字形アングルとして構成される、項目１に記載の高強度組積ユニットシステム。
（項目２３）
前記板は、伸展され、Ｔ字形構造として構成される、項目１に記載の高強度組積ユニットシステム。
（項目２４）
前記板は、様々な色付き線によって配列のために境界を画定される、項目１に記載の高強度組積ユニットシステム。
（項目２５）
前記板は、様々な幾何学的構成によって配列のために境界を画定される、項目１に記載の高強度組積ユニットシステム。